(57)【要約】【課題】光軸の位置決めが不要で、使用感に優れる読書灯を提供する。【解決手段】読書灯１は、座席Ｓ又は座席近傍に設けられ、第１領域を照射するＬＥＤ２１ａと、少なくとも、ＬＥＤ２１ａで照射されない第２領域を照射するＬＥＤ２１ｂと、を備え、第１領域が、座席Ｓに着座した着座者Ｕの前方に配される仮想照射領域のうちの一部分であり、第２領域が、仮想照射領域のうちの他の部分、又は、当該他の部分及び第１領域のうちの一部であり、ＬＥＤ２１ａのみを点灯する第１モードと、ＬＥＤ２１ａ及びＬＥＤ２１ｂを点灯する第２モードと、を切り替え可能に構成され、着座者Ｕの側方に配される。【選択図】図６
2018130988.tif 000002
【特許請求の範囲】
【請求項１】
座席又は座席近傍に設けられる読書灯であって、
第１領域を照射する第１光源と、
少なくとも、前記第１光源で照射されない第２領域を照射する第２光源と、を備え、
前記第１領域が、前記座席に着座した着座者の前方に配される被照射領域のうちの一部分であり、
前記第２領域が、前記被照射領域のうちの他の部分であり、
前記第１光源のみを点灯する第１モードと、前記第１光源及び前記第２光源を点灯する第２モードと、を切り替え可能に構成され、
前記着座者の側方に配される
ことを特徴とする読書灯。
【請求項２】
前記第２領域が前記第１領域を挟むように、構成されていることを特徴とする請求項１に記載の読書灯。
【発明の詳細な説明】
【技術分野】
【０００１】
本発明は、読書灯に関する。
【背景技術】
【０００２】
従来、座席に着座した着座者ごとに当該着座者の所望する位置に光を照射することができる読書灯が知られている（例えば、特許文献１及び特許文献２参照。）。
【０００３】
特許文献１に記載の読書灯は、座席の上方の天井、つまり、着座者の上方にスポットライトを設けることで構成されている。この読書灯を使用する際には、スポットライトを点灯し、点灯した状態で着座者の所望する照射方向にスポットライトを調整する。また、特許文献２に記載の読書灯は、座席ごとに設けられ、アームレストに設けられた操作盤に配置された調整つまみを操作することによって照射方向を変えることができるようにしたものである。
【先行技術文献】
【特許文献】
【０００４】
【特許文献１】特開平１０−２４１４４７号公報
【特許文献２】特開平０６−２５５５９２号公報
【発明の概要】
【発明が解決しようとする課題】
【０００５】
しかしながら、特許文献１に記載の読書灯は、天井のスポットライトの光を所望の位置に照射するためには、着座者は、スポットライトを直接に手で動かして照射方向を調整しなければならなかった。ところが、手でスポットライトの向きを調節するには、身体を着座位置から動かさなければ手が届かないことが有るため、読書時の姿勢とは全く異なる姿勢でスポットライトの向きを調節しなければならず、実際に照らしたい方向にスポットライトの光軸を合わせるのには手間がかかるという問題点があった。また、読書中に着座姿勢を変えて読書を続けたくなった場合、その都度、手間をかけてスポットライトの向きを調節しなければならなかった。
【０００６】
さらに、特許文献２に記載の読書灯は、読書灯を直接に手で動かすのではなく、読書灯を動かすための調節つまみ等のコントローラを操作して読書灯の光軸を合わせるので、読書時の姿勢のままで読書灯からの光を所望の位置に照射することができる点で前記の従来例に比べて使い勝手が改善されている。しかしながら、コントローラの扱いに慣れていない着座者にとっては、コントローラによって読書灯の光軸を所望の方向に上手く合わせることが難しいという問題点があった。また、いずれの文献においても、照射される領域がスポット状で狭く、例えば、新聞などのように面積の広い書物を閲覧しようとした場合に、全体を照らすことができず、不便であった。
【０００７】
また、特許文献２に記載の読書灯は、配置されている位置が着座者に近く、可動時や、その設定した光軸の方向によっては、読書灯の方を向くとグレアによって、着座者に不快感を生じさせることがある。また、着座者の近傍にいる者や、座席が配された車両内にいる者に対しても不快感を生じさせることがある。
【０００８】
本発明は、光軸の位置決めが不要で、使用感に優れる読書灯を提供することを目的とする。
【課題を解決するための手段】
【０００９】
本発明の一態様である読書灯は、座席又は座席近傍に設けられる読書灯であって、第１領域を照射する第１光源と、少なくとも、前記第１光源で照射されない第２領域を照射する第２光源と、を備え、前記第１領域が、前記座席に着座した着座者の前方に配される被照射領域のうちの一部分であり、前記第２領域が、前記被照射領域のうちの他の部分であり、前記第１光源のみを点灯する第１モードと、前記第１光源及び前記第２光源を点灯する第２モードと、を切り替え可能に構成され、前記着座者の側方に配されることを特徴とする。
【００１０】
なお、本発明の読書灯は、乗客が読書をする場合にその手元を照らすものであるが、乗客によっては、パソコン、携帯電話、携帯ゲーム器等を使用する場合や、テーブルを用いて食事をする場合にも利用されるものであり、その用途は読書のみに限定されるものではない。
【００１１】
上記の態様においては、前記第２領域が、前記第１領域を挟むように構成される構成としてもよい。
【発明の効果】
【００１２】
本発明の一態様である読書灯は、座席又は座席近傍に設けられる読書灯であって、第１領域を照射する第１光源と、少なくとも、第１光源で照射されない第２領域を照射する第２光源と、を備え、第１領域が、座席に着座した着座者の前方に配される被照射領域のうちの一部分であり、第２領域が、被照射領域のうちの他の部分であり、第１光源のみを点灯する第１モードと、第１光源及び第２光源を点灯する第２モードと、を切り替え可能に構成され、着座者の側方に配される。このような構成により、着座者が着座したまま、第１モードと第２モードとを切り替えることで、被照射領域において照射範囲を切り替えることが可能となる。そのため、光軸の位置決めが不要で、使用感に優れる。
【００１３】
また、上記の態様において、第２領域が、第１領域を挟むように構成される構成とすれば、被照射領域において狭い照射範囲と広い照射範囲とを切り替えることが可能となる。そのため、光軸の位置決めが不要となり、使用感に優れる。
【図面の簡単な説明】
【００１４】
【図１】本発明の一実施形態に係る読書灯が設けられた座席を示す斜視図である。
【図２】図１の読書灯の斜視図である。
【図３】図１の読書灯の分解図である。
【図４】図１の読書灯の図３とは異なる方向からみた分解図である。
【図５】図１の読書灯が備える反射部材の正面図である。
【図６】被照射領域を説明する図である。
【図７】被照射領域を説明する図である。
【図８】被照射領域のパターンを説明する図である。
【図９】被照射領域のパターンを説明する図である。
【図１０】被照射領域のパターンを説明する図である。
【図１１】被照射領域のパターンを説明する図である。
【図１２】本発明の一実施形態に係る読書灯が備える他の屈折ならびに反射部材を示す図である。
【発明を実施するための形態】
【００１５】
以下、本発明の一実施形態に係る読書灯を、図１から図１２を参照して説明する。
【００１６】
図１は、本実施形態に係る読書灯１が設けられた座席Ｓを示す斜視図であり、図２は、読書灯１の斜視図であり、図３は、読書灯１の分解図であり、図４は、図３とは異なる方向からみた分解図であり、図５は、読書灯１が備える反射部材３の正面図である。図１において、Ｘは座席Ｓが設置された車両における前後方向を示し、Ｙは座席Ｓの幅方向（左右方向）を示し、Ｚは座席Ｓ及び車両の上下方向を示している。
【００１７】
座席Ｓは、例えば、鉄道車両、船舶、航空機等の客室に設置されるものであり、２台並んで配され、当該座席Ｓの前後方向にも同様の座席Ｓが同じ向きで複数配されている。座席Ｓは、着座者Ｕが着座する座面Ｓ２を有する座部Ｓ１と、座部Ｓ１の後端に支点を有するリクライニング装置を介して後傾角度を自在に調整し得るように設けられた背もたれ部Ｓ３と、背もたれ部Ｓ３の後方および両側方を覆うバックシェルＳ４と、着座者Ｕが例えば書籍などを広げるテーブルＳ５と、読書灯１と、を備えて構成されている。なお、着座者Ｕは、図６及び図７に示してある。
【００１８】
背もたれ部Ｓ３は、着座者が座席Ｓに着座してよりかかった際に、着座者の頭が配される位置にヘッドレストＳ７を備えている。バックシェルＳ４は、背もたれ部Ｓ３の両側方を覆う両側壁のうち、ヘッドレストＳ７の左右両側位置に、前方に張り出すように突設した２つの耳部Ｓ６を備えている。図１に示す座席Ｓの向かって右側の座席において、本実施形態の読書灯１は、着座者の左側の耳部Ｓ６の内側の面に設けられている。向かって左側の座席においては右側の耳部Ｓ６に設けられる（不図示）。このように、読書灯１は、着座者の側方であって顔の高さ位置近傍に配されている。なお、本実施形態において読書灯１は、座席Ｓの耳部Ｓ６に設けられる構成としたが、本発明はこれに限定されることはなく、座席Ｓの近傍に設けられてもよく、例えば、座席Ｓの横に配される壁や柱などに設けられてもよい。
【００１９】
読書灯１は、図３及び図４に示すように、２つのＬＥＤ２１ａ、２１ｂを表面に実装する基板２と、反射部材３と、基板２を保持する基板保持部材４と、これら及び読書灯１を操作するための操作部５１を収容する略長方形の薄い箱状に形成されたケース５と、を備えている。読書灯１は、後述する被照射領域のうちの一部分である第１領域、及び、被照射領域のうちの他の部分である第２領域を照射するとともに、ＬＥＤ２１ａのみを点灯する第１モードと、ＬＥＤ２１ａ及びＬＥＤ２１ｂを点灯する第２モードと、を切り替え可能に構成されている。なお、ＬＥＤ２１ａが「第１光源」、ＬＥＤ２１ｂが「第２光源」にそれぞれ対応する。また、読書灯１は、基板２側を背面、ケース５側を正面とし、ケース５の長さ方向が水平方向に対して略平行になるように耳部Ｓ６に取り付けられている。
【００２０】
図３及び図４に示すように、基板２は、略長方形の板状に形成されており、基板２の一方の面２２には、回路パターン２３が形成されている。基板２の他方の面２４には、電気供給部（図示せず）と電気的に接続するコネクタ２５が設けられている。ＬＥＤ２１ａ、２１ｂは、基板２の一方の面２２に実装されることで、回路パターン２３を介して電源供給部（図示せず）と電気的に接続可能となる。ＬＥＤ２１ａ、２１ｂは、基板２の幅方向に距離を開けて並べられ、収容されるケース５の厚み方向（基板２の厚み方向）に向けて光を出すように基板２に実装されている。また、基板２には、コネクタ２５に設けられたねじ穴（図示せず）と共にねじを挿入して、コネクタ２５を基板２の他方の面２４に固定するためのねじ穴（図示せず）と、反射部材３を基板２に固定するための２つの係止孔２６と、が形成されている。
【００２１】
また、基板２の一方の面２２は黒色に形成されている。このような構成により、反射部材３を基板２に取り付けた際に、反射部材３によって反射した光のうち、基板２で更に反射して射出口５２から着座者Ｕの方向に反射してグレアを引き起こす可能性のある光を吸収することができるため、グレアによる不快感の発生を、より抑制することができる。
【００２２】
反射部材３は、ＬＥＤ２１ａ及びＬＥＤ２１ｂから照射された光を反射させてケース５外に当該反射光を射出し、座席Ｓに着座した着座者Ｕの前方に配される被照射領域を照射する。反射部材３は、基板２の一部を覆うように基板２に固定されるベース部３１と、基板２に実装されたＬＥＤ２１ａ、２１ｂを囲むようにベース部３１から立設する壁部３２と、を備え、基板２に取り付けられている。反射部材３を構成する色としては、特に限定されることはないが、輝度と輝度均斉度のバランスなどの観点から、銀色や白色であることが好ましく、銀色であることがより好ましい。
【００２３】
ベース部３１は、反射部材３を基板２に取り付ける役割、及び、ベース部３１から立設する壁部３２を支える土台としての役割を果す。ベース部３１は、板状に形成されており、基板２に係止するための２つの係止凸部３３（図４においては1つのみが示されている）が形成されている。当該係止凸部３３が係止孔２６に嵌入することで、反射部材３が基板２に固定される。
【００２４】
図５に示すように、壁部３２は、ＬＥＤ２１ａの周囲の一部を囲みＬＥＤ２１ａからの光（直接光）を反射させる第１壁部としての壁部３２ａと、ＬＥＤ２１ｂの周囲の一部を取り囲みＬＥＤ２１ｂからの光（直接光）を反射させる第２壁部としての壁部３２ｂと、を備えている。なお、図５においてＬＥＤ２１ａ、２１ｂは破線で示してある。壁部３２ａ、３２ｂは、それぞれが形状の異なる略楕円の円弧形状に形成され、ＬＥＤ２１ａの周囲の一部及びＬＥＤ２１ｂの周囲の一部を囲むように形成されている。壁部３２ａと壁部３２ｂとは、一方の端部同士が結合して２つの円弧が繋り、全体で、略Ｍ字形状に形成されている。（図５）。反射部材３は、当該Ｍ字形状の下方の開口部３４が、基板２（ケース５）の前方乃至下方を向くように形成されている（図５）。
【００２５】
このような構成により、ＬＥＤ２１ａ又はＬＥＤ２１ｂからの光を、壁部３２ａ又は壁部３２ｂ内で反射させ、さらに隣接する壁部３２ｂ又は壁部３２ａ内、壁部３２全体において反射させることが可能となる。よって、反射光を多く取り出すことができ、直接光の眩しさを低減させ、目に優しい柔らかい光で後述する第１領域及び第２領域を照射することができるため、使用感に優れたものとすることができる。また、壁部３２の形状として、そのＭ字形状の下方の開口部３４が、基板２（ケース５）の前方乃至下方を向くように形成されているため、反射を繰り返すことで、上方に向かう光を反射して下方に向かわせ、反射光の射出する角度を下方へと調整することができる。よって、後述する第１領域及び第２領域を照射することができるとともに、座席Ｓが配された車両内を歩く者（着座者Ｕより目の位置が高い者）、例えば他の乗客やアテンダント等にグレアによる不快感を与えにくい。
【００２６】
また、このような構成により、被照射領域において、ＬＥＤ２１ａに主として第１領域を照射させ、ＬＥＤ２１ｂに主として第２領域を照射させることが可能になる。
【００２７】
また、壁部３２の外側（円弧の外側）にのみベース部３１が形成されていることにより、反射部材３を基板２に取り付けた際に、反射部材３によって反射した光のうち、着座者Ｕの方向（着座者Ｕに対向する面５４ａの方向）に直接反射してグレアを引き起こす可能性のある光を、基板２によって吸収することができるため、グレアによる不快感の発生を抑制することができる。
【００２８】
反射部材３は、ＬＥＤ２１ａが、壁部３２ａの基端部の円弧における頂点近傍の基端部の内側の位置であって、壁部３２ａに隣接する位置に、また、ＬＥＤ２１ｂが、壁部３２ｂの円弧における頂点近傍の内側の位置であって、壁部３２ｂに隣接する位置に配されるよう、基板２に固定されている。さらに、反射部材３は、壁部３２ａ及び壁部３２ｂの上端の開口が、ケース本体５４の内面に覆われるようにケース５内に収容される。
【００２９】
基板保持部材４は、基板２の縁部を囲むように略長方形の枠状に形成され、当該縁部を挟み込んで、ケース５から基板２及び基板２に取り付けられた反射部材３が外れないように保持する。基板保持部材４は、２辺の長辺に設けられた２つの保持部４１と、１辺の短辺に設けられた１つの保持部４２と、で基板２の縁部の端を挟み込み、基板２を保持する（図３、４）。
【００３０】
２辺の長辺にそれぞれ設けられた保持部４１は、基板２の縁部を挟み込むように形成されている。保持部４１は、基板保持部材４の長辺の幅方向において、正面寄り（ケース５寄り）の端部から枠内側に向かって突出して形成された辺状保持部４１ａと、当該長辺の長さ方向中央部に形成された凸状保持部４１ｂと、を備えている。保持部４１は、辺状保持部４１ａと凸状保持部４１ｂとで、基板２の縁部の端を挟み込むことで、基板２を保持する。
【００３１】
また、短辺に設けられた保持部４２は、基板保持部材４の長辺を直交するように掛け渡される梁部４２ａと、短辺の長さ方向中央部に形成された凸状保持部４２ｂと、を備える。保持部４２は、梁部４２ａと凸状保持部４２ｂとで、基板２の縁部の端を挟み込むことで、基板２を保持する。
【００３２】
ケース５は、薄い箱状に形成され、基板保持部材４に保持された基板２及び反射部材３を収容する。ケース５は、読書灯１を操作する操作部５１と、反射部材３で反射させた反射光をケース外に射出する射出口５２と、ＬＥＤ２１ａ、２１ｂからの光のうち、反射することなくケース５外へ直接射出する光の量を抑制する遮光部材５３と、これらを有しケース５の外形を構成するケース本体５４と、を備えている。
【００３３】
操作部５１は、ＬＥＤ２１ａの点灯及び消灯を行う起動ボタン５１ａと、さらにＬＥＤ２１ｂを点灯して照射範囲を広げる範囲変更ボタン５１ｂと、を備え、ケース本体５４の正面に配されている。着座者Ｕは、起動ボタン５１ａ及び範囲変更ボタン５１ｂを用いて、ＬＥＤ２１ａのみを点灯する第１モードと、ＬＥＤ２１ａ及びＬＥＤ２１ｂを点灯する第２モードと、を適宜切り替えることができる。
【００３４】
射出口５２は、ケース５に収容された反射部材３のＭ字形状の下方乃至前方の開口部３４の位置に対応して配され、反射光をケース５外に射出する。射出口５２は、ケース本体５４の側面のうち、前方側に配された側面５４ｂにおける下方側から、底面５４ｃ（座面Ｓ２と対向する面）における前方側にわたって形成されている。
【００３５】
また、反射光は、水平方向から下方に５度以上の角度で射出されるように座席Ｓ又は座席近傍に設けられることが好ましい。このような構成により、座席Ｓが配された車両内を歩く者、例えば他の乗客アテンダント等にグレアによる不快感を、より与えにくい。
【００３６】
ケース本体５４は、射出口５２が形成された場所以外は、ケース５外に光が漏れないように遮光されている。つまり、着座者Ｕに対向する面５４ａである正面も遮光されている。このように、ケース５の着座者Ｕに対向する面５４ａが遮光されているため、本実施形態の読書灯１は、着座者Ｕの側方及び顔の高さ位置近傍に設けても、着座者Ｕにグレアによる不快感を与えにくい。
【００３７】
また、ケース本体５４は、その内面が白色に形成されている。このような構成により、反射部材３により反射した光や、ＬＥＤ２１ａ、２１ｂからの光がさらにケース本体５４の内面において反射し、反射光をより多く取り出すことができる。また、白色にすることで、読書灯１の美観が向上する。
【００３８】
遮光部材５３は、ＬＥＤ２１ａ、２１ｂからの光（直接光）のうち、反射することなくケース５外へ直接射出する光の一部を遮ることで、直接射出する光の量を抑制する部材である。遮光部材５３は、ケース本体５４内であって、射出口５２の縁からやや内側の位置（着座者に対向する面５４ａの裏面の内側寄り）に設けられ、ケース本体５４に接続する基端側の板状の長方形の部位５３−１と、当該部位５３−１の中心付近から基板２側に延びる板状の長方形の部位５３−２と、により形成されている。当該遮光部材５３は、一方の面５３ａが射出口５２側、他方の面５３ｂがＬＥＤ２１ａ、２１ｂ側を向くような位置に配されている。しかし、遮光部材５３は、ＬＥＤ２１ａ、２１ｂからの光（直接光）のうち、反射することなくケース５外へ直接射出する光の量を抑制する構成であれば特に形状、設けられる位置等について限定されることはなく、ケース５や射出口５２の形状等によって適宜変化させればよい。
【００３９】
また、遮光部材５３の射出口５２側を向いて配された一方の面５３ａが反射部材３と同様の銀色に形成され、他方の面５３ｂが白色に形成されている。このような構成により、反射光を多く取り出すことができる。
【００４０】
次に、本実施形態に係る読書灯１の被照射領域、第１領域及び第２領域について説明する。被照射領域とは、着座者Ｕが新聞、雑誌、あるいは本などを読む際に照射されることが望まれる着座者Ｕの眼前の領域を指す。そして、１灯点灯の際には当該領域の中心近傍を含む一部の領域が照射され、２灯点灯の際には被照射領域の全領域が照射されるように構成される。このとき、１灯点灯の際に照射が望まれる第１領域は、着座者Ｕが、文庫本や雑誌など比較的小さめの書物を正面に持った際に当該書物の閲覧に望まれる狭い照射領域を指し、２灯点灯の際に照射が望まれる第２領域は、着座者Ｕが、新聞など比較的大きめの書物を正面に持った際に当該書物の閲覧に望まれる広い照射領域を指す。
【００４１】
被照射領域は、既述のように着座者Ｕの眼前の所定の領域であるが、例えば、以下の仮想照射面６０について考察することができる。ここでいう「仮想照射面」とは、着座者が書物を持って閲覧する際に、当該書物の閲覧ページが含まれる斜めの面であり、代表的な平面を仮想的に抽出したものである。仮想照射面６０について、図６から図１１を用いて説明する。図６及び図７は、仮想照射面を説明するための図であり、図８から図１１は、それぞれ、被照射領域Ｂのパターンを例示するものである。
【００４２】
本実施形態において仮想照射面６０は、読書灯１から射出された反射光ならびに直射光により照射される面として、以下のように定めた平面である。即ち、仮想照射面６０は、座部Ｓ１の後端から１２ｃｍ上方（高さＨ１）の水平面と、座部Ｓ１の後端から３０ｃｍ（奥行きＤ）前方の垂直面と、の交線を含み、当該交線を回転中心として垂直方向から前方に３０度傾斜した面である。本実施形態における被照射領域Ｂは、当該仮想照射面６０において、前記交線のうち座部Ｓ１の幅方向の中心を中心とする４２ｃｍの線分（横Ｗ）を下端６１とし、座部Ｓ１の後端から７０ｃｍ上方（高さＨ２）の水平面との交線を上端６２とする、長方形の範囲である。この長方形における対角線の交点が、被照射領域Ｂの中心点Ａとなる。
【００４３】
この被照射領域Ｂにおいて、その中心点Ａを含む狭い領域が第１領域６３、その外側の領域が第２領域６４に対応する。具体的には例えば、中心点Ａの半径２０ｃｍの領域を第１領域６３、中心点Ａを中心とする７０ｃｍ上方（高さＨ２）、横Ｗ４２ｃｍの長方形の領域を被照射領域Ｂとすることができる。また、より限定的には例えば、中心点Ａの半径１５ｃｍの領域を第１領域６３、中心点Ａを中心とする７０ｃｍ上方（高さＨ２）、横Ｗ４２ｃｍの長方形の領域を被照射領域Ｂとすることができる。以上のように、被照射領域、第１領域及び第２領域を設定することで、本実施形態に係る読書灯１により照射する各領域は、着座者の状況に応じた適切な領域として代表的な態様といえる。
【００４４】
なお、本発明の読書灯１は、被照射領域を照射することを規定するのみで、当該被照射領域を透過した射出光及び透過する手前の位置での照射光が照射する範囲等は限定されることはないが、例えば、座席Ｓの前に配された他の座席の背面（バックシェル）の範囲内であることが好ましい。このような構成により、座席近傍を通りかかった者（着座者Ｕより目の位置が高い者）、例えば他の乗客やアテンダント等にグレアを感じさせる可能性を低減することができる。
【００４５】
ＬＥＤ２１ａの光のうち反射部材３等によって導かれ射出口５２から出射した光は、仮想照射面６０において、主として第１領域６３を照射する。一方、ＬＥＤ２１ｂの光のうち反射部材３等によって導かれ射出口５２から出射した光は、仮想照射面６０において、ＬＥＤ２１ａで照射されなかった第２領域６４を照射する。これらＬＥＤ２１ａやＬＥＤ２１ｂにより照射する領域は、予め定められた領域であり、反射部材３の形状や読書灯１を座席Ｓに取り付ける位置及び角度により調整することができる。
【００４６】
次に、ＬＥＤ２１ａ及びＬＥＤ２１ｂにより照射される照射領域について説明する。
図８〜図１１において、第１領域６３は被照射領域Ｂの中心Ａを含む狭い領域であり、第２領域６４は被照射領域Ｂにおける第１領域６３以外の領域である。これらの図において、ＬＥＤ２１ａにより照射される領域は照射領域Ｃａ、ＬＥＤ２１ｂにより照射される領域は照射領域Ｃｂと表記する。
【００４７】
図８に示す例では、照射領域Ｃａは第１領域６３を略中央に、被照射領域Ｂの半分以上の領域を含んで配され、照射領域Ｃｂは第１領域６３を間に挟んでその上下に、照射領域Ｃａと重なりを生じながら配されている。そして、照射領域Ｃａ及び照射領域Ｃｂにより、被照射領域Ｂの全領域が照射されるようになっている。
【００４８】
次に、本実施形態に係る読書灯１の動作、作用及びモードについて説明する。着座者Ｕが読書灯１の起動ボタン５１ａを押すと、ＬＥＤ２１ａが点灯し、第１モードとなる。次に、着座者Ｕが照射範囲を広くしたいと感じた時には、着座者Ｕは範囲変更ボタン５１ｂを押してＬＥＤ２１ｂを点灯させ第２モードとする。着座者Ｕは、第２モードから再度第１モードに変更したい場合には、範囲変更ボタン５１ｂを押して切り替える。また、着座者Ｕは、読書灯１を消灯したい場合には、起動ボタン５１ａを押すことで消灯することができる。
【００４９】
ＬＥＤ２１ａのみの点灯では、少なくとも第１領域６３が照射され、ＬＥＤ２１ａとＬＥＤ２１ｂの両方を点灯させると、第１領域６３及び第２領域６４全てを含む被照射領域Ｂの全体が照射されるようになっている。
【００５０】
上述した本実施形態に係る読書灯１は、座席Ｓ又は座席近傍に設けられ、第１領域６３を照射するＬＥＤ２１ａと、第２領域６４を照射するＬＥＤ２１ｂと、を備え、第１領域が、座席Ｓに着座した着座者Ｕの前方に配される被照射領域（仮想照射面６０）のうちの一部分であり、第２領域が、被照射領域（仮想照射面６０）のうちの他の部分であり、ＬＥＤ２１ａのみを点灯する第１モードと、ＬＥＤ２１ａ及びＬＥＤ２１ｂを点灯する第２モードと、を切り替え可能に構成され、着座者Ｕの側方に配される。
【００５１】
したがって、着座者Ｕは、閲覧しようとする書物の大きさに合わせて、照射範囲を適切に広狭選択することができる。即ち、文庫本や雑誌の如き小さな書物を閲覧しようとする場合には、ＬＥＤ２１ａのみの点灯で眼前の手元近傍を照射することができるため、余分な領域が照らされることが無く、着座者Ｕ本人は勿論、周囲の着座者や通路を歩く他の乗客、アテンダント等に不快な思いをさせることが無い。
【００５２】
また、新聞のように大きな書物を閲覧しようとする場合には、ＬＥＤ２１ａ及びＬＥＤ２１ｂの２灯で眼前の広い領域を照射することができるため、当該書物を広げた状態でストレスなく閲覧することができる。また、ＬＥＤ２１ｂは、第１領域６３を挟むように配された第２領域６４を１つの灯りで照らすことができるため、狭い領域を照らしたい場合には、ＬＥＤ２１ａの１灯で適切な領域である第１領域６３を集中的に照らすことができ、広い領域を照らしたい場合には、ＬＥＤ２１ａで照射することができない第２領域６４をＬＥＤ２１ｂで効率的に照らすことができ、２灯のみの構成で広狭適切な照射範囲を選択することができる。
【００５３】
図９に示す例では、照射領域Ｃａは第１領域６３を略中央のやや下方に、被照射領域Ｂの１／３程度の領域を含んで配され、照射領域Ｃｂは第１領域６３を間に挟んでその上下に、照射領域Ｃａと重なりを生じながら配されている。そして、照射領域Ｃａ及び照射領域Ｃｂにより、被照射領域Ｂの全領域が照射されるようになっている。
【００５４】
したがって、着座者Ｕは、例えば、テーブルＳ５にノートパソコンを置いて作業する場合やテーブルＳ５を用いて食事を取る場合には、ＬＥＤ２１ａのみの点灯でキーボードやテーブルＳ５上を照射することができるため、余分な領域が照らされることが無く、着座者Ｕ本人は勿論、周囲の着座者や通路を歩く他の乗客、アテンダント等に不快な思いをさせることが無い。大小書物に応じて照射範囲を広狭切り替えられる点や、２灯のみの構成で広狭適切な照射範囲を選択することができる点は、図８に示す例と同様である。
【００５５】
図１０に示す例では、照射領域Ｃａは被照射領域Ｂにおける下方の領域を含んで配され、照射領域Ｃｂは照射領域Ｃａと重なりを生じながら、照射領域Ｃａの上方に配されている。そして、照射領域Ｃａ及び照射領域Ｃｂにより、被照射領域Ｂの全領域が照射されるようになっている。
【００５６】
したがって、着座者Ｕは、閲覧しようとする書物を自分の腿近傍に配して閲覧しようとする場合には、ＬＥＤ２１ａのみの点灯で腿近傍を照射することができるため、余分な領域が照らされることが無く、着座者Ｕ本人は勿論、周囲の着座者や通路を歩く他の乗客、アテンダント等に不快な思いをさせることが無い。なお、この例の場合には、第１領域６３として、図示の位置よりも下方の照射領域Ｃａの中心辺りを設定してもよく、照射領域Ｃａの範囲を狭めたり、被照射領域Ｂを下方にシフトさせてもよい。
【００５７】
図１１に示す例では、照射領域Ｃａは第１領域６３を略中央に、被照射領域Ｂの半分以上の領域を含んで配され、照射領域Ｃｂは照射領域Ｃａの多くの部分と重なりを生じながら、照射領域Ｃａと共に被照射領域Ｂの全領域を含んで配されている。
【００５８】
したがって、着座者Ｕは、照射領域Ｃａと照射領域Ｃｂとが重なった被照射領域Ｂの中央の領域を特に明るく照射することができる。
【００５９】
なお、図８乃至図９の例でいう「挟むように」は、第１領域６３を挟んで第２領域６４が上下２つに分かれた状態を指しているが、本発明においては当該状態のみならず、第２領域６４が左右２つに分かれた状態や、第１領域６３を第２領域６４が取り囲んだ状態も含まれる。
【００６０】
以上のような構成により、着座者Ｕが第１モードと第２モードとを切り替えることで、被照射面において照射範囲を切り替えることが可能となるため、光軸の位置決めが不要となる。また、着座者Ｕが着座したまま読書灯１の操作を行えるため、使用感に優れる。
【００６１】
また、本実施形態に係る読書灯１は、遮光部材５３が、反射することなくケース５外に直接射出する光の量を抑制することから、着座者Ｕのみならず、座席近傍を通りかかった者などにグレアによる不快感を与えにくい。
【００６２】
また、本実施形態に係る読書灯１は、反射部材３が、ＬＥＤ２１ａの周囲の一部を囲みＬＥＤ２１ａからの光を反射させる壁部３２ａと、ＬＥＤ２１ｂの周囲の一部を取り囲みＬＥＤ２１ｂからの光を反射させる壁部３２ｂと、を備え、壁部３２ａ内で反射させた反射光、及び、壁部３２ｂ内で反射させた反射光のうち少なくとも１つをケース５外に射出する構成であるとすれば、それぞれの光源の光から反射光を多く取り出すことができる。よって、直接光の眩しさを低減させ、目に優しい柔らかい光で被照射領域を照射することができるため、より使用感に優れたものとすることができる。
【００６３】
また、本実施形態に係る読書灯１は、反射部材３が、ＬＥＤ２１ａ及びＬＥＤ２１ｂからの光のうち、上方に向かう光を反射して下方に向かわせる構成であるため、座席近傍を通りかかった者（着座者Ｕより目の位置が高い者）、例えば他の乗客やアテンダント等にグレアを感じさせる上方に向かう光を減らすことができるため、より確実に、グレアによる不快感の発生を抑制することができる。
【００６４】
また、本実施形態に係る読書灯１は、反射光が、水平方向から５度以上下方の角度となるように射出されるように座席Ｓ又は座席近傍に設ける構成となっている。そのため仮想照射領域（仮想照射面６０）を照射することができるとともに、座席近傍を通りかかった者（着座者Ｕより目の位置が高い者）に対して、より確実に、グレアによる不快感の発生を抑制することができる。
【００６５】
また、本実施形態に係る読書灯１は、基板２に実装されたＬＥＤ２１ａ、２１ｂからの光を、反射部材３及びケース本体５４の内面によって反射させて、反射光を用いることで、約９０度方向を変えて射出する構成としている。このような構成により、ＬＥＤ２１を２灯（ＬＥＤ２１ａ、２１ｂ）用いながらも、薄い箱状のケース５に収容することが可能となり、読書灯１の厚みを薄くし、省スペース化を図ることを可能とした。よって、着座者Ｕの側方及び顔の高さ位置近傍に設けても、着座者Ｕの邪魔とならない。
【００６６】
以上、説明した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明の読書灯の構成を具備する限り、勿論、本発明の範疇に含まれるものである。
【００６７】
例えば、反射部材３は、ＬＥＤ２１ａ及びＬＥＤ２１ｂのうち少なくとも１つから照射された光を反射又は屈折させてケース５外に当該反射光を射出する構成のものであれば上記実施形態において説明した形状のものに限定されることはない。図１２は、他の屈折ならびに反射部材の例を示した図である。図１２（ａ）は、屈折部材３Ａとして２つのレンズを並べたものである。また、図１２（ｂ）は、反射部材３Ｂとして反射部材と遮光部材とを一体にして形成したものである。
【００６８】
また、上述した読書灯１においては、第１モードと第２モードとで、照射範囲が異なるものとしたが、照射範囲と併せて、例えば、第２モードとした際に、照射光の色を変えて雰囲気を変えるような構成としてもよい。
【００６９】
また、上述した読書灯１においては、基板２の一方の面２２は黒色に形成されている構成としたが、これに限定されることはなく、他の色とする構成としてもよい。
【００７０】
また、上述した読書灯１においては、ケース本体５４は、その内面が白色に形成されている構成としたが、これに限定されることはなく他の色とする構成としてもよい。
【００７１】
また、上述した読書灯１においては、遮光部材５３の射出口５２側を向いて配された一方の面５３ａが反射部材３と同様の銀色に形成され、他方の面５３ｂが白色に形成されている構成としたが、これに限定されることはなく、一方の面５３ａを白色とする構成としてもよく、他方の面５３ｂを銀色とする構成としてもよい。また、それぞれ違う色でもよい。
【００７２】
また、上述した読書灯１においては、ＬＥＤ２１ａを「第１光源」、ＬＥＤ２１ｂを「第２光源」として説明したが、これに限定されることはなく、位置関係が逆、即ちＬＥＤ２１ａを「第２光源」、ＬＥＤ２１ｂを「第１光源」としてもよい。例えば、起動ボタン５１ａによりＬＥＤ２１ｂの点灯を開始させ、範囲変更ボタン５１ｂによりＬＥＤ２１ａの点灯と消灯を切り替える構成としてもよい。更に、１つのボタンで構成され、当該ボタンを１回押す毎に、１灯点灯、２灯点灯、消灯と、順次切り替わるようにしてもよい。
【００７３】
また、上述した読書灯１について、着座者Ｕの右側の耳部６Ｓに取り付けられる構造とする場合には、上述した読書灯１は鏡面対称の構造となる。
【符号の説明】
【００７４】
１                読書灯
２                基板
２１ａ、２１ｂ    ＬＥＤ（第１光源、第２光源）
３                反射部材
３２ａ            第１壁部
３２ｂ            第２壁部
５                ケース
５２              射出口
５３              遮光部材
５４ａ            着座者に対向する面
６０              仮想照射面
６３              第１領域
６４              第２領域
Ｂ                被照射領域
Ｃａ、Ｃｂ        照射領域
Ｓ                座席
Ｕ                着座者
【図１】
2018130988.tif 000003
【図２】
2018130988.tif 000004
【図３】
2018130988.tif 000005
【図４】
2018130988.tif 000006
【図５】
2018130988.tif 000007
【図６】
2018130988.tif 000008
【図７】
2018130988.tif 000009
【図８】
2018130988.tif 000010
【図９】
2018130988.tif 000011
【図１０】
2018130988.tif 000012
【図１１】
2018130988.tif 000013
【図１２】
2018130988.tif 000014